(57)【要約】【課題】  より手軽に給水タンクを交替でき、使われた水が溜まったり残ったりしなくなり、きれいな生水を供給すること。【解決手段】  多数の部品が内蔵される本体１００と、前記本体１００の一側に具備され生水を供給する給水タンク２００，３００と、前記本体１００の一側に設けられ、前記給水タンク２００，３００の生水が本体内部に吸入されるように案内する吸入管１６０と、前記吸入管１６０の一側に具備され、前記給水タンク２００、３００と吸入管１６０が結合されるように給水タンク２００，３００または吸入管１６０上下に流動させる流動手段と、を含んで構成され、前記給水タンク２００，３００は円型給水タンク２００またはボックス型給水タンク３００を正確な位置に安着させると同時に前記吸入管１６０と円型給水タンク２００の固定ブラケット１８４またはボックス型給水タンク３００の密閉キャップ３２２が結合されるように案内する案内ガイド１５０とが形成されることを特徴とする。【選択図】  図３
2006056598.tif 000002
【特許請求の範囲】
【請求項１】
多数の部品が内蔵される本体と、
前記本体の一側に具備され、生水を供給する給水タンクと、
前記本体の一側に設けられ、前記給水タンクの生水が本体内部に吸入されるように案内する吸入管と、
前記吸入管の一側に具備され、前記給水タンクと吸入管が結合されるように給水タンクまたは吸入管を上下に流動させる流動手段と、を含んで構成されることを特徴とする冷温水器。
【請求項２】
前記給水タンクは円型給水タンクまたはボックス型給水タンクであることを特徴とする請求項１に記載の冷温水器。
【請求項３】
前記円型給水タンクの一側には生水の流動を案内する吸入ガイドが具備されることを特徴とする請求項２に記載の冷温水器。
【請求項４】
前記吸入ガイドは、
前記円型給水タンクの生水吸入を案内する吸入筒と、
前記吸入筒を固定する固定ブラケットと、を含んで構成されることを特徴とする請求項３に記載の冷温水器。
【請求項５】
前記ボックス型給水タンクは、
生水が収容されるビニールバッグと、
前記ビニールバッグの一側に形成され生水の選択的流動を制御する密閉キャップと、
前記ビニールバッグが内部に収容され外観を形成するボックスと、を含んで構成されることを特徴とする請求項２に記載の冷温水器。
【請求項６】
前記吸入管の一側には、前記円型給水タンクまたはボックス型給水タンクを正確な位置に安着させると同時に前記吸入管と前記固定ブラケットまたは密閉キャップが結合するように案内する案内ガイドが形成されることを特徴とする請求項４または請求項５に記載の冷温水器。
【請求項７】
前記案内ガイドには前記固定ブラケットまたは密閉キャップが収容され固定される固定溝が形成されることを特徴とする請求項６に記載の冷温水器。
【請求項８】
前記吸入筒の一面には外部から前記円型給水タンクの内部に空気が流入されるように案内するエア溝が形成されることを特徴とする請求項４に記載の冷温水器。
【請求項９】
前記流動手段はレバーアセンブリーまたはモーターアセンブリーであることを特徴とする請求項１に記載の冷温水器。
【請求項１０】
前記レバーアセンブリーは、
上下に流動するレバー移動部またはレバー連結台と、
前記レバー移動部またはレバー連結台を固定し支持するレバー固定部と、
前期レバー移動部またはレバー連結台の一側に形成され、使用者の把持を容易にするレバー取っ手と、を含んで構成されることを特徴とする請求項９に記載の冷温水器。
【請求項１１】
前記モーターアセンブリーは、
動力を発生させるモーターと、
前記モーターの駆動力で回転するピニオンと、
前記ピニオンの回転によって上下に流動するラックと、を含んで構成されることを特徴とする請求項９に記載の冷温水器。
【発明の詳細な説明】
【技術分野】
【０００１】
本発明は冷温水器に関し、より詳しくは生水を供給する給水タンクと給水タンクの生水が本体内部に吸入されるように案内する吸入管が流動手段により手動または自動で簡単に結合されるように構成される冷温水器に関する。
【背景技術】
【０００２】
一般に冷温水器は冷水と温水を供給する装置を称するもので、近年工場廃水などにより上水道源の汚染が深化するにつれて水道水の代わりに市販される生水を使用する所が増加しており、公共場所及び事務室と一般家庭でも生水を急速冷却または過熱する冷温水器を設けて水を飲んでいる。
【０００３】
図１は一般の冷温水器の前面カバーが開放された状態を示す斜視図である。図１に示したように、冷温水器は大略四角柱状の本体１０と生水を供給する給水タンク２０とから構成され、前記本体１０の前面部上側には冷温水器の水の排出を制御するための取出コック１２ａと水受け部(図示せず)及び水受け部カバー１２ｂが具備される取出部１２が形成される。
【０００４】
前記取出部１２の下部には給水タンク２０が収納される給水タンク収納部１４を選択的に開閉する前面カバー１６が設けられる。前記前面カバー１６には前記給水タンク収納部１４に収納される給水タンク２０の状態を確認するために透明材質で形成されたり多数の長孔１６ａが形成される。
【０００５】
そして、前記給水タンク収納部１４の下部面には前記給水タンク２０を正位置に位置させるように案内役をする給水タンク据置台１４ａがスライドして出入できるように具備され、前記給水タンク据置台１４ａの前面上側には前記給水タンク２０が据置された給水タンク据置台１４ａの出入を容易にするように把持される取っ手１４ａ'が更に形成される。
【０００６】
前記給水タンク収納部１４の上側には前記給水タンク２０の水を前記本体１０内部に吸入するための吸入手段１８が具備される。前記吸入手段１８は前記本体１０内部から連結される吸入ホース１８ａと前記給水タンク２０の上側入口に結合されるキャップ１８ｂと前記給水タンク２０の内部に挿入される吸入筒１８Ｃとから構成される。
【０００７】
前記吸入ホース１８ａは図示されていないが前記本体１０内部の冷水タンクと温水タンクに前記給水タンク２０の水が吸入されるようにする伝達の役割をするもので、前記給水タンク収納部１４から前記給水タンク２０を外部に引き出して容易に交替できるように長尺に形成される。前記キャップ１８ｂは前記吸入ホース１８ａが上側に結合され前記給水タンク２０の入口を密閉する役割をし、前記キャップ１８ｂの下側には前記吸入筒１８ｃが具備されることで前記給水タンク２０の水を容易に吸入できるようにする。
【０００８】
従って、前記給水タンク２０の水が枯渇するときには前記給水タンク２０を前記給水タンク収納部１４から引き出して前記吸入手段１８のキャップ１８ｂと吸入筒１８ｃを前記給水タンク２０から分離した後、水の詰まった給水タンク２０に交替してまた前記キャップ１８ｂと吸入筒１８ｃを前記と逆順に前記給水タンク２０と再結合する。
【０００９】
しかし、前記のような従来冷温水器には次のような問題がある。即ち、前記吸入ホース１８ａとキャップ１８ｂ及び吸入筒１８ｃから構成される前記吸入手段１８は前記給水タンク２０を交替するたび前記キャップ１８ｂと結合された吸入筒８ｃを前記給水タンク２０から分解してまた再結合するので使用者が給水タンク２０を交替するのに長い時間がかかる問題がある。
【００１０】
そして、前記給水タンク２０を交替するとき前記キャップ１８ｂと結合された吸入筒１８ｃを使用者が片手で持っていながら他の手では新しい給水タンクを交換するので力がいるだけでなく前記吸入筒１８Ｃに異物質がついて衛星上問題がある。
【００１１】
尚、前記吸入ホース１８ａが長尺に形成されているので前記給水タンク２０を前記給水タンク収納部１４から引き出して新しい給水タンクに交換する場合、前記吸入ホース１８ａが曲がって、生水の供給に差し支えをもたらすと同時に前記吸入ホース１８ａ内に水が常に溜まていて、溜まった水が変質する恐れが発生する問題もある。
【発明の開示】
【発明が解決しようとする課題】
【００１２】
前記のような問題を解決するための本発明の目的は、生水を供給する給水タンクと給水タンクの生水が本体内部に吸入されるように案内する吸入管が流動手段により手動または自動で簡単に結合されるように構成される冷温水器を提供することにある。
【課題を解決するための手段】
【００１３】
前記の目的を達成するための本発明による冷温水器は、多数の部品が内蔵される本体と、前記本体の一側に具備され生水を供給する給水タンクと、前記本体の一側に設けられ、前記給水タンクの生水が本体内部に吸入されるように案内する吸入管と、前記吸入管の一側に具備され、前記給水タンクと吸入管が結合されるように給水タンクまたは吸入管を上下に流動させる流動手段と、を含んで構成されることを特徴とする。
【００１４】
前記給水タンクは円型給水タンクまたはボックス型給水タンクであることを特徴とする。
【００１５】
前記円型給水タンクの一側には生水の流動を案内する吸入ガイドが具備されることを特徴とする。
【００１６】
前記吸入ガイドは前記円型給水タンクの生水吸入を案内する吸入筒と、前記吸入筒を固定する固定ブラケットとを含んで構成されることを特徴とする。
【００１７】
前記ボックス型給水タンクは生水が収容されるビニールバッグと、前記ビニールバッグの一側に形成され生水の選択的流動を制御する密閉キャップと、前記ビニールバッグが内部に収容され外観を形成するボックスとを含んで構成されることを特徴とする。
【００１８】
前記吸入管の一側には前記円型給水タンクまたはボックス型給水タンクを正確な位置に安着させると同時に前記吸入管と前記固定ブラケットまたは密閉キャップが結合するように案内する案内ガイドが形成されることを特徴とする。
【００１９】
前記案内ガイドには前記固定ブラケットまたは密閉キャップが収容され固定される固定溝が形成されることを特徴とする。
【００２０】
前記吸入筒の一面には外部から前記円型給水タンクの内部に空気が流入されるように案内するエア溝が形成されることを特徴とする。
【００２１】
前記流動手段はレバーアセンブリーまたはモーターアセンブリーであることを特徴とする。
【００２２】
前記レバーアセンブリーは上下に流動するレバー移動部またはレバー連結台と、前記レバー移動部またはレバー連結台を固定し支持するレバー固定部と、前記レバー移動部またはレバー連結台の一側に形成され、使用者の把持を容易にするレバー取っ手と、を含んで構成されることを特徴とする。
【００２３】
前記モーターアセンブリーは動力を発生させるモーターと、前記モーターの駆動力で回転するピニオンと、前記ピニオンの回転いよって上下に流動するラックと、を含んで構成されることを特徴とする。
【００２４】
このような構成を有する本発明によれば、より手軽に給水タンクを交替することができ、使われた水が溜まったり残ったりしなくなってきれいな生水を供給することができる長所がある。
【発明の効果】
【００２５】
本発明の冷温水器では、円型給水タンクまたはボックス型給水タンクが収納される生水収納部の一側に円型給水タンクの吸入ガイドまたはボックス型給水タンクの密閉キャップが固定されるように案内する案内ガイドが形成され生水を吸入する吸入管と吸入ガイドまたは密閉キャップが手動方式のレバーアセンブリーまたは自動方式のモーターアセンブリーで構成される流動手段で結合される。
【００２６】
従って、例温水器に具備される給水タンクを容易且つ簡単に脱去して交替し再結合させることで給水タンク交替作業に所要される使用者の時間を節約できる効果が期待される。
【００２７】
そして、給水タンクを交替して一回のレバー作動やモーターによる作動で吸入管と吸入ガイドまたは密閉キャップが結合されることで使用者の使用便宜性が向上する効果も期待される。
【００２８】
本体内部に連結される吸入管が短く形成されることで従来の冷温水器の長い吸入ホースに常に水が溜まっている状態から発生する水の変質や細菌の繁殖による冷温水器使用上の安全を心配する必要がない長所がある。
【００２９】
結局、冷温水器使用の便宜性と生水飲用の安全を確保することで製品に対する信頼度が向上し製品認知度が上昇して製品に対する購買欲が増加する効果が期待される。
【発明を実施するための最良の形態】
【００３０】
以下、本発明による冷温水器の好ましい実施例を添付の図面を参照して詳しく説明する。
【００３１】
図２は本発明の好ましい実施例による冷温水器の本体と円型給水タンクを示す斜視図であり、図３は本発明の好ましい実施例による冷温水器のボックス型給水タンクが設けられた状態を示す斜視図である。
【００３２】
前記の図面に示したように、本発明による冷温水器は大略垂直に長い直六面体状で形成され多数の部品が内蔵される本体１００と、前記本体１００の内部下側に具備され生水を供給する円型給水タンク２００またはボックス型給水タンク３００とから構成される。
【００３３】
前記本体１００の前面部上側には前記円型給水タンク２００またはボックス型給水タンク３００の生水を取り出す取出部１２０が形成される。前記取出部１２０には冷温水器の水の排出を制御するための取出コック１２２が突出形成され、前記取出コック１２２の下方には水受け部(図示せず)が形成され、前記水受け部の上側には水受け部カバー１２４が具備される。前記取出部１２０の下部には前記円型給水タンク２００またはボックス型給水タンク３００が収納される生水収納部２００またはボックス型給水タンク３００が収納される生水収納部１４０を選択的に開閉する前面カバー１３０が設けられる。
【００３４】
前記前面カバー１３０は前記生水収納部１４０に収納される円型給水タンク２００またはボックス型給水タンク３００の状態を確認できるように透明材質で形成されたり多数の長孔が形成されることが好ましく、前記前面カバー１３０の側面中央部には使用者が容易に把持して開閉できるようにカバー取っ手１３４が更に形成される。
【００３５】
そして、前記生水収納部１４０の下部面には前記円型給水タンク２００またはボックス型給水タンク３００を正位置に位置させるように案内役をする給水タンク据置台１４２がスライド出入可能に具備され、前記給水タンク据置台１４２の前面上側には前記円型給水タンク２００またはボックス型給水タンク３００が据置された給水タンク据置台１４２の出入を容易にするために把持される据置台取っ手１４２ａが形成される。
【００３６】
前記給水タンク据置台１４２には生水が詰まっている円型給水タンク２００またはボックス型給水タンク３００が具備され据置される。前記円型給水タンク２００には上端部に生水の任意の流出を防止する給水タンクキャップ２２０と後術する吸入管１６０と結合され生水の流動を案内する吸入ガイド１８０が具備され、前記ボックス型給水タンク３００は生水が収容されるビニールバッグ(Vinyl bag)３２０と前記ビニールバッグ３２０が内部に収容され外観を形成するボックス(Box)３４０とで構成される。
【００３７】
前記円型給水タンク２００の上端部に具備される吸入ガイド１８０は前記円型給水タンク２００の内部に挿入される吸入筒１８２と、前記吸入筒１８２と一体または別個に形成され円型給水タンク２００の上端、即ち円型給水タンク２００の入口に固定される固定ブラケット１８４とから構成される。
【００３８】
前記吸入筒１８２は前記円型給水タンク２００の生水を全部吸入するために、円型給水タンク２００の内部の底まで届くようにできるだけ長く形成されることが好ましい。尚、剛性のプラスチック材質で形成され、その端部が前記円型給水タンク２００の上端の給水タンクキャップ２２０を容易に貫通するために斜めに形成されることがより好ましい。
【００３９】
前記給水タンクキャップ２２０と結合される前記吸入筒１８２の一面には前記円型給水タンク２００の生水を円滑に吸入するために空気が流入されるエア溝１８２ａが形成される。
【００４０】
一方、前記ボックス型給水タンク３００のビニールバッグ３２０の上側には生水の選択的流出を制御する密閉キャップ３２２が形成され、後術する吸入管１６０と結合する。前記密閉キャップ３２２は大略円状で形成され、中央部には吸入管１６０が貫通して結合される吸入口３２２ａが形成され、外周面には後術する案内ガイド１５０に固定されるようにガイド溝３２２’が更に形成される。
【００４１】
前記ボックス型給水タンク３００のボックス３４０は前記ビニールバッグ３２０を収容するように大略四角桶状で形成され軽い紙材質で形成される。前記ボックス３４０の上面には生水が排出される前記密閉キャップ３２２が出入するように開口部３４２が形成され、両側面には前記ボックス型給水タンク３００を容易に移動させるように把持するボックス取っ手３４４が形成される。
【００４２】
図４ａ及び図４ｂは本発明の好ましい実施例が採用された冷温水器の吸入管が下方に流動され吸入ガイドと結合される状態を示す部分断面図でおり、図４ｃは本発明の好ましい実施例が採用された冷温水器の吸入管が下方に流動され密閉キャップと結合される状態を示す部分断面図である。
【００４３】
前記の図面に示したように、前記円型給水タンク２００またはボックス型給水タンク３００が収納される生水収納部１４０の上側には円型給水タンク２００またはボックス型給水タンク３００の生水を吸入する吸入管１６０が設けられる。前記吸入管１６０は図示されていないが、前記本体１００の冷水タンクと温水タンクに前記円型給水タンク２００またはボックス型給水タンク３００の生水を吸入する機能を担当する。
【００４４】
従って、前記吸入管１６０を介して前記冷水タンク及び温水タンクに生水が一時貯蔵され、同一時貯蔵された生水が前記取出分１２０の取出コック１２２を介して排出され使用者が飲用するようになる。
【００４５】
前記吸入管１６０の一側には前記円型給水タンク２００またはボックス型給水タンク３００を正確な位置に安着させるように案内すると同時に吸入管１６０と前記固定グラケット１８４または密閉キャップ３２２が結合するように案内し固定する案内ガイド１５０が具備され設けられる。
【００４６】
前記案内ガイド１５０は大略四角樋状で形成され、前面部には前記固定ブラケット１８４または密閉キャップ３２２が収容され固定されるようにする固定溝１５２が形成される。
【００４７】
前記固定溝１５２は前方から後方に陥没した形状を有し、より詳しくは後方に行くほど空間が狭くなるように形成され前記固定ブラケット１８４または密閉キャップ３２２が容易に前方の広い空間に出入され後方に固定されるように形成されると同時に前記固定溝１５２の外周面が前記固定ブラケット１８４または密閉キャップ３２２の外周面に形成されたガイド溝１８４’、３２２’に案内され容易に結合されるように形成されることが好ましい。
【００４８】
そして、前記吸入管１６０の下端には前記固定ブラケット１８４または密閉キャップ３２２と直接的に結合される結合部材１６２が具備されるが、前記結合部材１６２は射出物または金属材質で形成され前記吸入管１６０の下端内部に部着され結合される。
【００４９】
このとき図４ｃに示したように前記ボックス型給水タンク３００と結合される結合部材１６２の端部は前記密閉キャップ３２２を容易に貫通するため尖って形成される。より詳しくは、前記結合部材１６２の端部が斜めに形成されることで先端が尖って形成され前記密閉キャップ３２２中央部の吸入口３２２ａを容易に貫通できるようになる。
【００５０】
前記結合部材１６２の下端外側には前記固定ブラケット１８４または密閉キャップ３２２の内部に挿入され前記吸入管１６０が流動されないようにすると同時に前記円型給水タンク２００またはボックス型給水タンク３００の生水が吸入されるとき外部から空気が吸入されないようにシーリング(Sealing)するシーリング部材１６２ａが具備される。
【００５１】
前記シーリング部材１６２ａはゴム材質のオーリング(O-ring)が好ましく、前記結合部材１６２の下端に挿まれ、前記固定ブラケット１８４または密閉キャップ３２２の内部と結合されることで前記吸入管１６０と前記吸入ガイド１８０または密閉キャップ３２２がシーリングされるようにする。
【００５２】
一方、前記吸入管１６０の結合部材１６２が前記吸入ガイド１８０の固定ブラケット１８４内部に結合される状態とは反対に、図４ｂに示したように前記固定ブラケット１８４の内部に所定の突起状を形成して前記のようなシーリング部材１８４ａを具備して前記結合部材１６２に挿入されることで互いに結合されるようい構成することも可能である。
【００５３】
図５ａ及び図５ｂは本発明の好ましい実施例が採用された冷温水器の吸入管がレバーアセンブリーの流動手段により手動で吸入ガイドと結合される状態を示す部分側面図と部分正面図であり、図６ａ及び図６ｂは本発明の好ましい実施例が採用された冷温水器の吸入管がレバーアセンブリーの流動手段により手動で密閉キャップと結合される状態を示す部分側面図と部分正面図である。
【００５４】
そして、図７は図５ｂのほかの実施例を示す部分正面図であり、図８は図６ｂのほかの実施例を示す部分正面図である。
【００５５】
前記の図面に示したように、前記吸入管１６０と吸入ガイド１８０または密閉キャップ３２２はレバーアセンブリー１７０で結合されるように構成される。
前記レバーアセンブリー１７０は前記固定ブラケット１８４または密閉キャップ３２２に挿入されるレバー移動部１７２と、前記レバー移動部１７２を固定し支持するレバー固定部１７４と、前記レバー移動部１７２の一側に形成され使用者が把持するレバー取っ手１７６と、前記レバー固定部１７４の下側に形成されるレバーガイド１７８とを含んで構成される。
【００５６】
前記レバー移動部１７２はレバー取っ手１７６と一体に形成され使用者が前記レバー取っ手１７６を把持して下方に下ろすと直接下方に移動して前記固定ブラケット１８４または密閉キャップ３２２に結合される部分で、その端部外側にシーリング部材１７２ａが更に具備され前記固定ブラケット１８４または密閉キャップ３２２に完全にシーリングされ結合されるようにする。
【００５７】
前記レバー固定部１７４は前記吸入管１６０の端部と結合され下方または上方に移動する前記レバー移動部１７２を支持する役を担当し、前記レバー固定部１７４の下側には前記レバー取っ手１７６の下方または上方への移動を案内するレバーガイド１７８が形成される。
【００５８】
前記レバーガイド１７８は大略折曲された‘Ｓ’字の形状で形成されるが、これは前記レバー移動部１７２と結合されたレバー取っ手１７６を下方または上方に移動して止めようとするとき前記レバー取っ手１７６が上下方の折曲された部分に挿入され前記レバー取っ手１７６が流動されないように固定するためである。
【００５９】
尚、図７及び図８に示したように前記レバーアセンブリー１７０のレバー取っ手１７６の一側が前記本体１００の一側にヒンジ１７９で固定され前記レバー取っ手１７６と結合されたレバー移動部１７２が上下に流動可能に設けられることで、前記吸入管１６０と吸入ガイド１８０または密閉キャップ３２２がレバーアセンブリー１７０で結合されるようにすることも可能である。
【００６０】
図９は本発明の好ましい実施例が採用された冷温水器の円型給水タンクがレバーアセンブリーの流動手段により手動で吸入管と結合される状態を示す部分正面図であり、図１０は本発明の好ましい実施例が採用された冷温水器のボックス型給水タンクがレバーアセンブリーの流動手段により手動で吸入管と結合される状態を示す部分正面図である。
【００６１】
前記の図面に示したように、前記吸入管１６０は前記本体１００内部の一側に固定され前記円型給水タンク２００またはボックス型給水タンク３００が据置された給水タンク据置台１４２が前記レバーアセンブリー１７０により上方に流動され結合されるようにする。
【００６２】
前記給水タンク据置台１４２の下側には前記レバー取っ手１７６と一端が結合され他端は前記給水タンク据置台１４２の下部中央を支えるように結合されるレバー連結台１７５が具備される。前記レバー連結台１７５は中央部分が前記給水タンク据置台１４２の下方に固定設置されたレバー固定部１７４にヒンジ１７９で結合される。
【００６３】
従って、前記レバー取っ手１７６に下方に力を与えると前記レバー連結台１７５の中央部分を基準として前記給水タンク据置台１４２と結合された部分が上方に流動して前記円型給水タンク２００またはボックス型給水タンク３００が上方に移動することで前記吸入管１６０と前記円型給水タンク２００またはボックス型給水タンク３００に具備された吸入ガイド１８０または密閉キャップ３２２が結合する。
【００６４】
図１１ａは本発明の好ましい実施例が採用された冷温水器の吸入管がモーターアセンブリーの流動手段により自動で吸入ガイドと結合される状態を示す部分正面図であり、図１１ｂは本発明の好ましい実施例が採用された冷温水器の円型給水タンクがモータアセンブリーの流動手段により自動で吸入管と結合される状態を示す部分正面図である。そして、図１２ａは本発明の好ましい実施例が採用された冷温水器の吸入管がモーターアセンブリーの流動手段により自動で密閉キャップと結合される状態を示す部分正面図であり、図１２ｂは本発明の好ましい実施例が採用された冷温水器のボックス型給水タンクがモーターアセンブリーの流動手段により自動で吸入管と結合される状態を示す部分正面図である。
【００６５】
前記図面に示したように前記モーターアセンブリー１９０は動力を発生させるモーター(図示せず)と、前記モーターの駆動力で回転するピニオン１９２と、前記ピニオン１９２と歯車の形式で結合され前記ピニオン１９２が回転するによって上下に流動するラック１９４などで構成される。前記ラック１９４は前記吸入管１６０の右側面に上下長尺に形成され、前記吸入管１６０の左側面には接触突起１６４が一定の間隔を置いて上下二つで構成され突出形成される。そして、このような接触突起１６４に前記モーターと連結されるマイクロスイッチ１９６が接触されるように構成される。
【００６６】
従って、前記モーターの駆動力で前記ピニオン１９２が回転すると、ピニオン１９２とかみ合う前記ラック１９４が形成される吸入管１６０が上下に移動し、前記吸入管１６０の上下移動で前記接触突起１６４が前記マイクロスイッチ１９６と接触することで前記モーターアセンブリー１９０のモーター動作を制御するように構成される。
【００６７】
前記モーターアセンブリー１９０は図１１ａまたは図１２ａに示したように前記吸入管１６０の一側に設けられ前記吸入管１６０が上下方向に流動されるように構成したり、図１１ｂまたは図１２ｂに示したように前記円型給水タンク２００またはボックス型給水タンク３００の下部に設けられ円型給水タンク２００またはボックス型給水タンク３００が上下方向に移動することで前記吸入管１６０と前記円型給水タンク２００の吸入ガイド１８０またはボックス型給水タンク３００の密閉キャップ３２２が結合されるように構成できる。
【００６８】
尚、前記モーターアセンブリー１９０は前記本体１００と前面カバー１３０の一側に別途の前面カバー感知装置(図示せず)を設け、このような前面カバー感知装置と共に前記本体１００の一側の制御部(図示せず)を介して自動で前記吸入管１６０が上下方向に流動したり前記吸入ガイド１８０または密閉キャップ３２２が上下方向に流動されるように構成できる。
【００６９】
ここで前記のようにモーターアセンブリー１９０により自動で前記吸入管１６０と吸入ガイド１８０または密閉キャップ３２２が流動される状態を大略説明する。
【００７０】
前記本体１００の前面下端に設けられた前面カバーが閉まると前面カバースイッチ(図示せず)がオン(ON)され前面カバー感知部(図示せず)を介して制御部に印加され、前記制御部では現在吸入管１６０の位置を吸入管位置感知部(図示せず)を介して確認する。このとき、前記吸入管１６０が前記吸入ガイド１８０または密閉キャップ３２２と結合されていない状態、即ち前記吸入管１６０に形成される二つの接触突起１６４の中で下の方の接触突起１６４に接触された状態(High状態)にあると、モーター駆動部(図示せず)を介して前記モーターを順方向に駆動させ前記吸入管１６０を前記吸入ガイド１８０の固定ブラケット１８４または密閉キャップ３２２内部に移動させることで互いに結合されるようにして生水の吸入を可能とする。
【００７１】
前記吸入管１６０を下方に移動させるために前記モーターを順方向に駆動することにおいて、一定時間の間動作させた後にも前記吸入管１６０の位置が前記固定ブラケット１８４または密閉キャップ３２２内部に移動しないと、即ち前記吸入管１６０の位置が(Low)状態にならないと前記モーターを停止させエラー音(Error beep)を鳴らして使用者が点検するようにする。
そして、前記前面カバー１３０が開くと前記前面カバースイッチがオフ(OFF)され、前記制御部では前記モーターを逆方向に動作させ前記吸入管１６０が前記固定ブラケット１８４または密閉キャップ３２２から分離され上方に移動し、前記吸入管１６０の上側の接触突起１６４に前記マイクロスイッチ１９６が接触することで前記吸入管１６０の上方流動を止めるようにする。
【００７２】
このときにも前記モーターを一定時間の間動作させた後に前記吸入管１６０が前記固定ブラケット１８４または密閉キャップ３２２から分離されないと、即ち、前記吸入管１６０の位置がハイ(High)状態にならないと前記モーターを停止させエラー音(Error beep)を鳴らして使用者が冷温水器の状態を点検するようにする。
【００７３】
このような本発明の範囲は前記の実施例に限定されるのではなく、前記のような技術範囲内で当業界の技術者においては本発明を基礎とするほかの多数の変形が可能である。
【図面の簡単な説明】
【００７４】
【図１】一般の冷温水器の前面カバーが開放された状態を示す斜視図である。
【図２】本発明の好ましい実施例による冷温水器の本体と円型給水タンクを示す斜視図である。
【図３】本発明の好ましい実施例による冷温水器の本体にボックス型給水タンクが設けられた状態を示す斜視図である。
【図４ａ】本発明の好ましい実施例が採用された冷温水器でシーリング部材が具備された吸入管が下方へ流動して吸入ガイドと結合される状態を示す部分断面図である。
【図４ｂ】本発明の好ましい実施例が採用された冷温水器の吸入管が下方へ流動してシーリング部材が具備された吸入ガイドと結合される状態を示す部分断面図である。
【図４ｃ】本発明の好ましい実施例が採用された冷温水器でシーリング部材が具備された吸入管が下方へ流動して密閉キャップと結合される状態を示す部分断面図である。
【図５ａ】本発明の好ましい実施例が採用された冷温水器の吸入管がレバーアセンブリーの流動手段により手動で吸入ガイドと結合される状態を示す部分側面図である。
【図５ｂ】本発明の好ましい実施例が採用された冷温水器の吸入管がレバーアセンブリー流動手段により手動で吸入ガイドと結合される状態を示す部分正面図である。
【図６ａ】本発明の好ましい実施例が採用された冷温水器の吸入管がレバーアセンブリーの流動手段により手動で密閉キャップと結合される状態を示す部分側面図である。
【図６ｂ】本発明の好ましい実施例が採用された冷温水器の吸入管がレバーアセンブリーの流動手段により手動で密閉キャップと結合される状態を示す部分正面図である。
【図７】図５ｂの他の実施例を示す部分正面図である。
【図８】図６ｂの他の実施例を示す部分正面図である。
【図９】本発明の好ましい実施例が採用された冷温水器の円型給水タンクがレバーアセンブリーの流動手段により手動で吸入管と結合される状態を示す部分正面図である。
【図１０】本発明の好ましい実施例が採用された冷温水器のボックス型給水タンクがレバーアセンブリーの流動手段により手動で吸入管と結合される状態を示す部分正面図である。
【図１１ａ】本発明の好ましい実施例が採用された冷温水器の吸入管がモーターアセンブリーの流動手段により自動で吸入ガイドと結合される状態を示す部分正面図である。
【図１１ｂ】本発明の好ましい実施例が採用された冷温水器の円型給水タンクがモーターアセンブリーの流動手段により自動で吸入管と結合される状態を示す部分正面図である。
【図１２ａ】本発明の好ましい実施例が採用された冷温水器の吸入管がモーターアセンブリーの流動手段により自動で密閉キャップと結合される状態を示す部分正面図である。
【図１２ｂ】本発明の好ましい実施例が採用された冷温水器のボックス型給水タンクがモーターアセンブリーの流動手段により自動で吸入管と結合される状態を示す部分正面図である。
【符号の説明】
【００７５】
１００・・・・・・本体
１２０・・・・・・取出部
１２２・・・・・・取出コック
１２４・・・・・・水受け部カバー
１３０・・・・・・前面カバー
１３２・・・・・・長孔
１４０・・・・・・生水収納部
１４２・・・・・・給水タンク据置台
１４２ａ・・・・・据置台取っ手
１５０・・・・・・案内ガイド
１５２・・・・・・固定溝
１６０・・・・・・吸入管
１６２・・・・・・結合部材
１６２ａ、１７２ａ、１８４ａ・・・・・・シーリング部材
１６４・・・・・・接触突起
１７０・・・・・・レバーアセンブリー
１７２・・・・・・レバー移動部
１７４・・・・・・レバー固定部
１７５・・・・・・レバー連結台
１７６・・・・・・レバー取っ手
１７８・・・・・・レバーガイド
１７９・・・・・・ヒンジ
１８０・・・・・・吸入ガイド
１８２・・・・・・吸入筒
１８２ａ・・・・・エア溝
１８４・・・・・・固定ブラケット
１８４’、３２２’・・・・・・ガイド溝
１９０・・・・・・モーターアセンブリー
１９２・・・・・・ピニオン
１９４・・・・・・ラック
１９６・・・・・・マイクロスイッチ
２００・・・・・・円型給水タンク
２２０・・・・・・給水タンクキャップ
３００・・・・・・ボックス型給水タンク
３２０・・・・・・ビニールバッグ
３２２・・・・・・密閉キャップ
３２２ａ・・・・・吸入口
３４０・・・・・・ボックス
３４２・・・・・・開口部
３４４・・・・・・ボックス取っ手
【図１】
2006056598.tif 000003
【図２】
2006056598.tif 000004
【図３】
2006056598.tif 000005
【図４ａ】
2006056598.tif 000006
【図４ｂ】
2006056598.tif 000007
【図４ｃ】
2006056598.tif 000008
【図５ａ】
2006056598.tif 000009
【図５ｂ】
2006056598.tif 000010
【図６ａ】
2006056598.tif 000011
【図６ｂ】
2006056598.tif 000012
【図７】
2006056598.tif 000013
【図８】
2006056598.tif 000014
【図９】
2006056598.tif 000015
【図１０】
2006056598.tif 000016
【図１１ａ】
2006056598.tif 000017
【図１１ｂ】
2006056598.tif 000018
【図１２ａ】
2006056598.tif 000019
【図１２ｂ】
2006056598.tif 000020